(57)【特許請求の範囲】
【請求項１】
少なくとも１つの発光部材と、前記発光部材を収容するための光透過性を有する収容体と、前記発光部材の前記リード電極に通電可能に接続されるとともに、前記収容体に取り付けられた口金とを具備し、
前記発光部材は、発光色の異なる複数の発光素子と、該複数の発光素子に接続され、該複数の発光素子のそれぞれの発光の制御を行う集積回路と、外部と前記集積回路とが通電可能に配された一対のリード電極と、前記複数の発光素子を保護するための光透過性を有するバルブとを具備し、前記複数の発光素子と前記集積回路とが、前記バルブ内に一体収容されており、
前記収容体には、内部の少なくとも一部に前記発光部材からの光を反射するための光反射部が設けられており、
前記光反射部は、前記発光部材の光の照射方向に平行な複数本の棒状体が輪状に配置されて形成されることを特徴とする照明ランプ。
【請求項２】
少なくとも１つの発光部材と、前記発光部材を収容するための光透過性を有する収容体と、前記発光部材の前記リード電極に通電可能に接続されるとともに、前記収容体に取り付けられた口金とを具備し、
前記発光部材は、発光色の異なる複数の発光素子と、該複数の発光素子に接続され、該複数の発光素子のそれぞれの発光の制御を行う集積回路と、外部と前記集積回路とが通電可能に配された一対のリード電極と、前記複数の発光素子を保護するための光透過性を有するバルブとを具備し、前記複数の発光素子と前記集積回路とが、前記バルブ内に一体収容されており、
前記収容体には、内部の少なくとも一部に前記発光部材からの光を反射するための光反射部が設けられており、
前記光反射部は、前記発光部材の光の照射方向に平行な管状体であるように構成されることを特徴とする照明ランプ。
【請求項３】
少なくとも１つの発光部材と、前記発光部材を収容するための光透過性を有する収容体と、前記発光部材の前記リード電極に通電可能に接続されるとともに、前記収容体に取り付けられた口金とを具備し、
前記発光部材は、発光色の異なる複数の発光素子と、該複数の発光素子に接続され、該複数の発光素子のそれぞれの発光の制御を行う集積回路と、外部と前記集積回路とが通電可能に配された一対のリード電極と、前記複数の発光素子を保護するための光透過性を有するバルブとを具備し、前記複数の発光素子と前記集積回路とが、前記バルブ内に一体収容されており、
前記収容体には、内部の少なくとも一部に前記発光部材からの光を反射するための光反射部が設けられており、
前記光反射部は、前記発光部材の光の照射方向に平行な管状体を円周方向に複数分割したものであることを特徴とする照明ランプ。
【請求項４】
少なくとも１つの発光部材と、前記発光部材を収容するための光透過性を有する収容体と、前記発光部材の前記リード電極に通電可能に接続されるとともに、前記収容体に取り付けられた口金とを具備し、
前記発光部材は、発光色の異なる複数の発光素子と、該複数の発光素子に接続され、該複数の発光素子のそれぞれの発光の制御を行う集積回路と、外部と前記集積回路とが通電可能に配された一対のリード電極と、前記複数の発光素子を保護するための光透過性を有するバルブとを具備し、前記複数の発光素子と前記集積回路とが、前記バルブ内に一体収容されており、
前記収容体には、内部の少なくとも一部に前記発光部材からの光を反射するための光反射部が設けられており、
前記光反射部は、前記発光部材の光の照射方向に平行に長く延びた板状体であって、該板状体の長手方向に対して垂直にねじりを設けたものであることを特徴とする照明ランプ。
【請求項５】
前記発光部材は、前記集積回路に接続され、該集積回路を外部から制御するための信号電極をさらに具備することを特徴とする請求項１〜４のいずれかに記載の照明ランプ。
【発明の詳細な説明】
【０００１】
【発明の属する技術分野】
本発明は複数色発光をする発光部材、特に、発光ダイオード等の発光素子を用いた発光部材を用いた照明ランプに関する。
【０００２】
【従来の技術】
発光ダイオード（ＬＥＤ）素子を有する発光部材は、白熱電球に比べ、高輝度発光、省電力、長寿命である、有色の自発光素子のため色が鮮明である等の特徴を有し、現在、様々な用途に利用されている。また、青色発光のＬＥＤ素子が開発され、複数色を同時に発光させて発光色を混ぜること等によるＬＥＤのフルカラー化が可能となり、ＬＥＤの適用可能性が一気に広がってきている。
【０００３】
このように色鮮やかなＬＥＤ素子を用いた発光部材において、同一パッケージ（バルブ）内に色の異なる複数のＬＥＤ素子を封入し、複数色を同時に発光させたり、それぞれの色を発光させたりすることにより、異なる色を表現する発光部材が周知である。具体的な構成は、以下に示す特許文献１に記載の通りである。このような発光部材は、特許文献１に記載の通り、複数のＬＥＤ素子が同一のパッケージ（バルブ）に封入されており、各ＬＥＤ素子の電力供給およびスイッチングを行うためのリード電極がＬＥＤ素子ごとに２本１組（いずれか一方のリード電極は、すべてのＬＥＤ素子間で共通化してもよい）存在し、少なくとも３本の電極（２色発光の場合）を具備していることとなる。
【０００４】
【特許文献１】
実開昭５２−６３３７４号公報
【０００５】
【発明が解決しようとする課題】
しかし、このような発光部材は、以下のような問題がある。まず、特許文献１に記載のような発光部材では、２色発光の場合、少なくとも３本（例えば、陽極側２本、陰極側１本（共用））のリード電極が必要となり、それに合わせたソケットが必要となってくる。また、３色発光の場合、少なくとも４本必要となるが、２色発光の発光部材のソケットとは互換性を有しないこととなっていた。
【０００６】
また、複数色発光させるためには、端子に電圧供給の有無または強弱等の制御を外部から端子に与える必要があり、照明ごとに、取り付けたＬＥＤ素子用の制御回路を別に設けなければならなかった。これは、照明器具のコンパクト化を阻害する要因ともなり、コンパクトな照明器具に適用するのが困難となる場合があった。
【０００７】
本発明は、かかる従来技術の問題点を解決するべくなされたもので、ソケットの互換性が高く、全体がコンパクトな発光部材を用いた照明ランプを提供することを目的とする。
【０００８】
【課題を解決するための手段】
本発明に係る照明ランプは、少なくとも１つの発光部材と、前記発光部材を収容するための光透過性を有する収容体と、前記発光部材の前記リード電極に通電可能に接続されるとともに、前記収容体に取り付けられた口金とを具備し、前記発光部材は、発光色の異なる複数の発光素子と、該複数の発光素子に接続され、該複数の発光素子のそれぞれの発光の制御を行う集積回路と、外部と前記集積回路とが通電可能に配された一対のリード電極と、前記複数の発光素子を保護するための光透過性を有するバルブとを具備し、前記複数の発光素子と前記集積回路とが、前記バルブ内に一体収容されており、前記収容体には、内部の少なくとも一部に前記発光部材からの光を反射するための光反射部が設けられており、前記光反射部は、前記発光部材の光の照射方向に平行な複数本の棒状体が輪状に配置されて形成されるものである。
【０００９】
本発明の照明ランプによれば、発光部材として、赤、緑、青等、発光色の異なる複数の発光ダイオード素子等である発光素子が、当該複数の発光素子のそれぞれの発光の制御が行われる集積回路にそれぞれ接続される。集積回路においては、予め、発光素子を点灯させる順番、点灯する発光素子の組み合わせ（同時点灯、単独点灯含む）、点灯時間、点灯の強弱（電流調整）等が設定されている。この集積回路と外部（ソケット）とは、一対のリード電極を介して接続可能であり、リード電極から集積回路へと電力が供給される。リード電極から電力が供給されると、集積回路の設定に基いて、各発光素子のそれぞれに電力が供給され、様々な色変化の表現が実現される。
【００１０】
そして、この集積回路と複数の発光素子とは、共通のバルブ内に一体収容され、一体の発光部材を形成する。
【００１１】
このように、集積回路を経て各発光素子に電力が供給されるため、発光部材へ電力供給するための一対のリード電極は、発光素子の数に関わらず、陽極、陰極の各１本ずつ（一対）でよいこととなる。したがって、発光素子の数が異なる発光部材であっても同じソケットで互換することができる。これによりさらに、単色の発光部材に替えて本発明の発光部材を取り付けて、単色発光の照明器具を容易に複数色発光の照明器具にすることができる。
【００１２】
また、外部の制御手段を用いることなく様々な色変化を表現することができるため、コンパクトな照明器具であって、外部に制御手段を設ける余地のないものにも適用することができる。
【００１３】
ここで、光透過性を有する収容体に上記発光部材が少なくとも１つ収容される。また、発光部材のリード電極と口金とが接続されて、外部からの通電を可能にする。口金と収容体とが取り付けられて、一体の照明ランプが形成される。さらに、収容体の内部の少なくとも一部に発光部材からの光を反射するための光反射部が形成されている。
【００１４】
発光部材を点灯させると、光透過性を有する収容体においては、発光部材の光は、発光部材の照射方向へまっすぐ進む。一方、光反射部においては、発光部材の光が反射するため、光反射部の形状が浮かび上がって見える（主に光って見えｋる）。
【００１５】
このように、発光部材の点灯により収容体内の光反射部が浮かび上がって見えるため、従来の中実の樹脂内に拡散材を含有させたものを収容体として用いることにより発光に変化を持たせたものに比べ、より様々な変化を実現することができる。また、拡散材のように均一的なものではなく、光反射部を様々な形状とすることができるため、創作性の自由度を増やすことができる。さらに、発光部材内の集積回路により、複数の色が色鮮やかに変化する装飾的な照明ランプとすることができる。
【００１６】
なお、光反射部の色は、装填された発光部材内に収容された複数の発光素子が作り出す色のうちの１色であることが好ましい。光反射部の色と同じ波長を有する光が主に反射されるからである。なお、光反射部に複数の色を用いてもよい。
【００１７】
ここで、前記光反射部は、前記発光部材の光の照射方向に平行な複数本の棒状体が輪状に配置されているように構成される。
【００１８】
したがって、透明な収容体を透過する光と光反射部で反射する光とのバランスが良好なものとなり、照度を落とすことなく、色鮮やかに変化する照明ランプを形成することができる。
【００１９】
なお、光反射部としての棒状体の本数、配置される輪状の直径等は、棒状体の直径や、収容体の大きさ等から種々採用することができる。
【００２０】
ここで、発光部材の光の照射方向に沿った光反射部は、発光部材の光の照射方向に平行な管状体であってもよいし、当該管状体を円周方向に複数分割したものであってもよいし、発光部材の光の照射方向に平行に長く延びた板状体の長手方向に垂直にねじりを設けたものであってもよい。
【００２１】
好ましくは、前記集積回路に接続され、該集積回路を外部から制御するための信号電極をさらに具備するように構成される。
【００２２】
この場合、集積回路には、予め、信号電極からの所定の制御信号（パルス信号等）により、点灯させる発光素子の種類、時間等が設定されている。リード電極から集積回路へ電力を供給しつつ、リード電極とは別に、外部から信号電極を通じて制御信号が入力されると、当該制御信号に基いた色変化を表現させるように集積回路が制御する。このように、本発明の発光部材の形成後であっても、色変化のパターンを変更することができる。また、外部の制御信号により、色変化を逐次制御することも可能である。したがって、より幅広い色変化のパターンを制御することができる。さらに、外部からの制御信号は、各信号パルスの周波数を変化させたりするだけでよいので、外部に設けられる制御部は、複雑なものを必要とせず、コンパクト化を妨げない程度に抑えることができる。
【００２３】
なお、信号電極は、１つでもよいし、複数でもよい。
【００２４】
【発明の実施の形態】
以下、添付図面を参照しつつ、本発明の実施の形態を説明する。図１は本発明の第１の実施の形態に係る発光部材における模式的概略図である。図１（ａ）は発光部材を横から見た図であり、図１（ｂ）は発光部材を下（リード電極側）から見た図である。
【００２５】
本実施の形態の発光部材１０は、図１に示すように、発光色の異なる複数の発光素子１と、該複数の発光素子１に接続され、該複数の発光素子１のそれぞれの発光の制御を行う集積回路２と、外部（ソケット）と前記集積回路２とが通電可能に配された一対のリード電極４ａ，４ｎと、前記複数の発光素子１を保護するための光透過性を有するバルブ３を具備している。そして、前記複数の発光素子１と前記集積回路２とが、前記バルブ３内に一体封止されているものである。なお、本実施の形態のバルブ３は、無色透明な樹脂を使用しているが、光透過性を有するものであれば、有色樹脂や、半透明の樹脂を用いてもよいし、ガラスバルブであってもよい。
【００２６】
図１の発光部材１０によれば、赤、緑、青等、発光色の異なる複数の発光ダイオード（ＬＥＤ）素子である発光素子１が、複数の発光素子１のそれぞれの発光の制御が行われる集積回路２にそれぞれ接続される。本実施の形態においては、基板６を挟んで、一面に互いに色の異なる３つの発光素子１が取り付けられ、他面に集積回路２が取り付けられている。
【００２７】
図２は図１の発光部材における発光素子および集積回路の取り付け例を示す図である。図２（ａ）は発光素子側（図１（ａ）における上側面）を示す図であり、図２（ｂ）は集積回路側（図１（ａ）における下側面）を示す図である。図２（ａ）に示すように、基板６上に各発光素子１ｒ（赤色），１ｇ（緑色），１ｂ（青色）が設置されている。各発光素子１ｒ，１ｇ，１ｂは、それぞれ電極である陽極８ｒａ，８ｇａ，８ｂａと陰極８ｒｎ，８ｇｎ，８ｂｎとが通電することにより発光する。また、図２（ｂ）に示すように、基板６の裏面には、集積回路２が設置されている。集積回路２は、電力供給用の電源端子７ａ，７ｎと、発光素子１ｒ，１ｇ，１ｂの陽極８ｒａ，８ｇａ，８ｂａおよび陰極８ｒｎ，８ｇｎ，８ｂｎへの出力端子９ｒａ，９ｇａ，９ｂａ，９ｎとを具備している。なお、本実施の形態において、陰極側の出力端子９ｎは、各発光素子１ｒ，１ｇ，１ｂの陰極８ｒｎ，８ｇｎ，８ｂｎを１つに束ねたものとして構成されている。
【００２８】
ここで、本実施の形態においては、１枚の基板６の両面に複数の発光素子１および集積回路２を設置しているが、複数の発光素子１および集積回路２のそれぞれを２枚の基板上に形成してボンディングワイヤ等により接続してもよい。
【００２９】
集積回路２においては、予め、各発光素子１を点灯させる順番、点灯する発光素子１の組み合わせ（同時点灯、単独点灯含む）、点灯時間、点灯の強弱（電流調整）等が設定されている。例えば、赤→緑→青→黄（赤＋緑）→シアン（緑＋青）→マゼンタ（青＋赤）→白（赤＋緑＋青）→赤→…の順（点灯時間はそれぞれ５秒）で点灯させるように設定する。このとき、電流調整をさらに行う場合、当該調整された発光素子１の照度が変化し、明度や彩度を変化させることができるため、フルカラー発光可能な発光部材とすることができる。
【００３０】
集積回路２と外部（ソケット）とは、リード電極４ａ，４ｎを介して接続可能であり、リード電極４ａ，４ｎからボンディングワイヤ７により接続された集積回路２へと電力（一定）が供給される。リード電極４ａ，４ｎから電力が供給されると、集積回路２の設定に基いて、各発光素子１のそれぞれに電力が供給され、様々な色変化の表現が実現される。
【００３１】
そして、この集積回路２と複数の発光素子１とは、図１に示すように、共通のバルブ３内に一体収容され、一体の発光部材１０を形成する。本実施の形態においては、透明樹脂で形成されたバルブ３内に一体封止されて一体の発光部材１０が形成されている。
【００３２】
ここで、本実施の形態のバルブ３は、φ５サイズ（直径５mm）の円柱に発光素子１の上部がレンズ形状となっているものを用いているが、φ３サイズ、φ８サイズ、φ１０サイズ等種々の径を採用可能であり、また、角柱等のあらゆるバルブ形状を採用可能であり、レンズ形状の有無も特に問わない。
【００３３】
このように、集積回路２を経て各発光素子１に電力が供給されるため、発光部材１０へ電力供給するためのリード電極４ａ，４ｎは、発光素子１の数に関わらず、陽極４ａ、陰極４ｎの各１本ずつでよいこととなる。さらに、単色の発光部材（一般的な単色ＬＥＤ装置）に替えて本発明の発光部材を取り付けることにより、容易に、複数色発光の照明器具とすることができる。したがって、発光素子１の数が異なる発光部材であっても同じソケットで互換することができる。
【００３４】
さらに、外部の制御手段を用いることなく様々な色変化を表現することができるため、コンパクトな照明器具であって、外部に制御手段を設ける余地のないものにも適用することができる。
【００３５】
なお、本実施の形態においては、３つの互いに色の異なる発光素子１を用いたが、用いる発光素子の色は、２種類でも、４種類でも、それ以上であってもよい。また、同色の発光素子を複数用いることを妨げるものではない。
【００３６】
次に、本発明に係る第２の実施の形態について説明する。図３は本発明の第２の実施の形態に係る発光部材における模式的概略図である。図３（ａ）は発光部材を横から見た図であり、図３（ｂ）は発光部材を下（リード電極側）から見た図であり、図３（ｃ）は発光部材の概略斜視図である。なお、図３（ｃ）は、バルブ３の内部を省略して示してある。本実施の形態において、第１の実施の形態と同様の構成部分については、同じ符号を付し、説明を省略する。
【００３７】
本実施の形態の発光装置１１が第１の実施の形態と異なる点は、図３に示すように、前記リード電極４ａ，４ｎとは別に、前記集積回路２に接続され、該集積回路２を外部から制御するための信号電極５をさらに具備することである。
【００３８】
また、図４は図３の発光部材における発光素子および集積回路の取り付け例を示す図である。図４（ａ）は発光素子側（図３（ａ）における上側面）を示す図であり、図４（ｂ）は集積回路側（図３（ａ）における下側面）を示す図である。本実施の形態の発光部材１１においては、図４（ｂ）に示すように、基板６の裏面に設置された集積回路２に外部信号入力用の信号端子７ｓが設けられている。信号端子７ｓと信号電極５とは、リード電極４ａ，４ｎと同様、ボンディングワイヤ７によって接続される。
【００３９】
本実施の形態における集積回路２には、予め、信号電極５からの所定の制御信号（単位時間あたりのパルス信号の数や、電圧変化等）により点灯させる発光素子１の種類、時間等が設定されている。リード電極４ａ，４ｎから集積回路２へ電力を供給しつつ、外部から信号電極５を通じて制御信号が入力されると、当該制御信号に基いた色変化を表現させるように集積回路２が制御する。このように、発光部材１１の形成後であっても、色変化のパターンを変更することができる。また、外部の制御信号により、色変化を逐次制御することも可能である。したがって、より幅広い色変化のパターンを制御することができる。さらに、外部からの制御信号を電圧変化の制御等により、容易に行うことができるので、外部に設けられる制御部は、複雑なものを必要とせず、コンパクト化を妨げない程度に抑えることができる。
【００４０】
なお、信号電極５は、１つでもよいし、複数でもよい。信号電極５が複数ある場合は、別系統である複数の制御手段からの制御を同時に伝えることができる。
【００４１】
また、本実施の形態においては、図３（ｃ）に示すように、リード電極４ａ，４ｎおよび信号電極５が一列に並ぶように形成している。この場合、リード電極４ａ，４ｎおよび信号電極５をテープ状の金属から一度にプレス成形することにより容易に製造することができる。また、これら電極を一列に並ぶように形成することにより、発光素子１と集積回路２とのボンディング加工を簡素化することができ、製造効率を高めることができる。
【００４２】
また、リード電極４ａ，４ｎおよび信号電極５の他の配置例を説明する。図５は本発明の第３の実施の形態に係る発光部材における模式的概略図である。図５（ａ）は発光部材を下（リード電極側）から見た図であり、図５（ｂ）は発光部材の概略斜視図である。なお、図５（ｂ）は、バルブ３の内部を省略して示してある。本実施の形態においても、第１、第２の実施の形態と同様の構成部分については、同じ符号を付し、説明を省略する。
【００４３】
図５に示す発光部材１２は、リード電極４ａ，４ｎおよび信号電極５の別の配置例を示すものであり、他の構成は、第２の実施の形態と同様である。リード電極４ａ，４ｎおよび信号電極５は、図５に示すように、バルブ３への取り付け部において一列に並ばないように配置され、当該取り付け部を中心としてそれぞれ放射状に広がっている。リード電極４ａ，４ｎと信号電極５とが一列に並ばないため、リード電極４ａ，４ｎ用のソケットと信号電極５用のソケットを別に設けることができる。これにより、従来ある単色用ソケットを流用しつつ、外部制御を可能にすることができる。また、図５の構造は、本発光部材１２をプリント配線基板に表面実装する場合、リード電極４ａ，４ｎおよび信号電極５のための穴あけ加工が不要となるため、表面実装を容易に行うことができる。
【００４４】
続いて、上記実施の形態で述べたような発光部材を用いた照明ランプについて説明する。図６は本発明の第４の実施の形態に係る照明ランプにおける概略断面図である。図６（ａ）は照明ランプを収容体および口金の取り付け部（面）に垂直な断面を表す図であり、図６（ｂ）は照明ランプの図６（ａ）におけるＡ−Ａ断面を表す図である。
【００４５】
本実施の形態における照明ランプは、図６（ａ）に示すように、少なくとも１つの上記発光部材１０と、前記発光部材１０を収容するための光透過性を有する収容体２０と、前記発光部材１０の前記リード電極４ａ，４ｎに通電可能に接続されるとともに、前記収容体２０に取り付けられた口金２４とを具備し、前記収容体２０は、内部の少なくとも一部に前記発光部材１０からの光を反射するための光反射部２１が設けられている。
なお、本実施の形態においては、前記収容体２０は、透明な樹脂により中実形成されるとともに、前記口金２４により被覆される部位である発光部材取り付け部２３に少なくとも１つ（図６（ａ）においては複数）の装填穴２２を有している。また、前記発光部材１０は、前記装填穴２２の少なくともいずれか１つに装填される。
【００４６】
本実施の形態の照明ランプによれば、光透過性を有する収容体２０に上記発光部材１０が少なくとも１つ収容される。また、発光部材１０のリード電極４ａ，４ｎと口金２４とが接続されて、外部からの通電を可能にする。口金２４と収容体２０とが取り付けられて、一体の照明ランプが形成される。
【００４７】
さらに、収容体２０の内部の少なくとも一部に、発光部材１０からの光を反射するための光反射部２１が形成されている。また、透明な樹脂により中実形成された収容体２０は、発光部材取り付け部２３に少なくとも１つ（図６（ａ）においては複数）の装填穴２４が形成されており、少なくとも１つの発光部材１０が装填される。また、収容体２０内部の少なくとも一部に、光反射部２１が有色の樹脂により形成される。
【００４８】
なお、本実施の形態においては、発光部材１０と口金２４との間に電流調整（定電圧化）用の整流回路２５が接続されている。ここで、本実施の形態における口金２４は、Ｅ２６型口金を採用しているが、これに限定されるものではなく、他の径、他の形状の口金を採用することができる。また、本実施の形態においては、発光部材として第１の実施の形態における発光部材１０を用いているが、第２の実施の形態における発光部材１１および第３の実施の形態における発光部材１２を用いてもよい。この際、口金２４とは別に信号電極用端子を照明ランプの外側に設ければよい。
【００４９】
発光部材１０を点灯させると、光透過性を有する収容体２０においては、発光部材１０の光は、発光部材１０の照射方向（主に発光部材１０の上方である照射方向Ｌ）へまっすぐ進む。一方、光反射部２１においては、発光部材１０の光が反射するため、横（照射方向Ｌに対して垂直な方向である方向Ｍ）から見ると光反射部が浮かび上がって見える（主に光って見える）。
【００５０】
このように、発光部材１０の点灯により収容体２０内の光反射部２１が浮かび上がって見えるため、従来の中実の樹脂内に拡散材を含有させたものを収容体として用いることにより発光に変化を持たせたものに比べ、より様々な変化を実現することができる。また、拡散材のように均一的なものではなく、光反射部２１を様々な形状とすることができるため、創作性の自由度を増やすことができる。さらに、発光部材１０内の集積回路２により、複数の色が色鮮やかに変化する装飾的な照明ランプとすることができる。
【００５１】
なお、本実施の形態における発光部材１０は、中央の装填穴２２のみに装填されているが、複数の装填穴２２のすべてに装填されてもよいし、複数の装填穴２２のいくつかに装填されてもよい。また、複数個装填する場合には、発光素子１の組み合わせの異なる発光部材１０を装填してもよい。
【００５２】
また、光反射部２１の色は、装填された発光部材１０内に封止された複数の発光素子１が作り出す色のうちの１色であることが好ましい。光反射部２１の色と同じ波長を有する光が主に反射されるからである。発光部材１０の発光色すべてについて光反射部２１を浮かび上がらせて見せるためには、光反射部２１を白色で形成することが好ましい。なお、光反射部２１に複数の色を用いてもよい。この場合、光反射部２１の形状を複数の色ごとに相違させて形成すると、当該光反射部２１の色に対応する色の光が点灯するごとに、浮かび上がる光反射部２１の形状が異なることとなり、興趣に富む照明ランプとすることができる。
【００５３】
また、本実施の形態においては、図６（ｂ）に示されるように、前記光反射部２１は、前記発光部材１０の光の照射方向Ｌに平行な複数本の棒状体が輪状に配置されているように構成される。
【００５４】
なお、中実な収容体２０の内部に光反射部２１を形成するためには、収容体形成用の径を有するパイプの内側に、光反射部形成用の径を有するパイプを挿入した状態でそれぞれのパイプの内部に溶解している樹脂を流し込み、同時に押し出して形成するといった従来からの方法を適用することが可能である。
【００５５】
この場合、収容体２０を透過する光と光反射部２１で反射する光とのバランスが良好なものとなり、照度を落とすことなく、色鮮やかに変化する照明ランプを形成することができる。
【００５６】
なお、光反射部２１としての棒状体の本数、配置される輪状の直径等は、棒状体の直径や、収容体２０の大きさ等から種々採用することができる。
【００５７】
続いて、本発明に係る照明ランプの他の実施の形態について説明する。図７は本発明に係る照明ランプの他の実施の形態における概略断面図である。図７（ａ）は第５の実施の形態、図７（ｂ）は第６の実施の形態、図７（ｃ）は第７の実施の形態をそれぞれ示す。なお、図７は第４の実施の形態における図６（ａ）のＡ−Ａ断面に相当する照明ランプの断面をそれぞれ示すものである。
【００５８】
ここで、第５の実施の形態の照明ランプは、図７（ａ）に示すように、発光部材１０の光の照射方向Ｌに沿った光反射部２１が、発光部材１０の光の照射方向Ｌに平行な管状体であるように構成され、第６の実施の形態の照明ランプは、図７（ｂ）に示すように、発光部材１０の光の照射方向Ｌに沿った光反射部２１が、第５の実施の形態の管状体を円周方向に複数分割したものであるように構成され、第７の実施の形態は、図７（ｃ）に示すように、発光部材１０の光の照射方向Ｌに沿った光反射部２１が、発光部材１０の光の照射方向Ｌに平行に長く延びた板状体であって、該板状体の長手方向に対して垂直にねじりを設けたものであるように構成される。
【００５９】
これら実施の形態について共通する点は、前記光反射部２１が、前記発光部材１０の光の照射方向Ｌに沿って形成されていることである。なお、前述の第４の実施の形態もこの点で共通する。
【００６０】
この場合、発光部材１０からの光が光反射部２１によって遮られ難くなり、発光部材１０からの光を収容体２０全域に透過させつつ光反射部２１で反射させることができる。したがって、光反射部２１における反射も均一化され、より色鮮やかに変化する装飾照明ランプとすることができる。
【００６１】
これらの実施の形態においても、光反射部２１に複数の色を用いてもよい。特に、第７の実施の形態の照明ランプにおいては、図７（ｃ）に示すように、板状体である光反射部２１の一面２１１と他面２１２とで色を相違させることにより、興趣に富む照明ランプとすることができる。
【００６２】
例えば、面２１１が黄、面２１２が青である光反射部２１を用いるとともに、黄色および青色に発光する２つの発光素子１を有する発光部材（第１の実施の形態における発光部材１０において、赤色発光の発光素子１ｒと緑色発光の発光素子１ｇとを同時発光させて黄色発光を実現するように制御してもよい）を用いる。この場合、黄色発光と青色発光との交互発光を繰り返すように集積回路２を設定すると、黄色発光のときは青色と補色関係にある黄色の面２１１のみが浮き上がって見え、青色発光のときは黄色と補色関係にある青色の面２１２のみが浮き上がって見え、面２１１と面２１２とが交互に発光するので、あたかも光反射部２１が回転しているかのような興趣を演出することができる。
【００６３】
【発明の効果】
本発明に係る発光部材によれば、集積回路を経て発光素子に電力が供給されるため、発光部材へ電力供給するためのリード電極は、発光素子の数に関わらず、陽極、陰極の各１本ずつでよいこととなる。したがって、発光素子の数が異なる発光部材であっても同じソケットで互換することができる。これにより、さらに、単色の発光部材に替えて本発明の発光部材を取り付けて、単色発光の照明器具を容易に複数色発光の照明器具とすることができる。
【００６４】
また、外部の制御手段を用いることなく様々な色変化を表現することができるため、コンパクトな照明器具であって、外部に制御手段を設ける余地のないものにも適用することができる。
【図面の簡単な説明】
【図１】  本発明の第１の実施の形態に係る発光部材における模式的概略図である。
【図２】  図１の発光部材における発光素子および集積回路の取り付け例を示す図である。
【図３】  本発明の第２の実施の形態に係る発光部材における模式的概略図である。
【図４】  図３の発光部材における発光素子および集積回路の取り付け例を示す図である。
【図５】  本発明の第３の実施の形態に係る発光部材における模式的概略図である。
【図６】  本発明の第４の実施の形態に係る照明ランプにおける概略断面図である。
【図７】  本発明に係る照明ランプの他の実施の形態における概略断面図である。
【符号の説明】
１  発光素子
２  集積回路
３  バルブ
４ａ，４ｎ  リード電極
５  信号電極
１０，１１，１２  発光部材
２０  収容体
２１  光反射部
２４  口金
【図１】
0003682449.tif 000002
【図２】
0003682449.tif 000003
【図３】
0003682449.tif 000004
【図４】
0003682449.tif 000005
【図５】
0003682449.tif 000006
【図６】
0003682449.tif 000007
【図７】
0003682449.tif 000008